(57)【要約】【課題】ネジ、ボルト等の固定部材を外面に出さず、外側から容易に施工ができ、熱交換装置前面側から簡単にメンテナンスでき、防水性能を確保することのできる熱交換装置を提供することを目的とする。【解決手段】熱交換装置３のケース６には、外周部に張り出したフランジ１０を設け、ケース６を覆うカバー１１の外周部は内側に折り曲げられた固定面１２を有し、固定面１２はフランジ１０にカバー固定用ネジ２１にて固定され、カバー固定用ネジ２１と対向するカバー１１の面にはカバー着脱用穴２２を設けた構成とすることにより、カバー着脱用穴２２からカバー固定用ネジ２１を容易に取り外すことができ、カバー１１を取り外した状態で容易に施工が行え、また、外側よりカバー着脱用穴２２からカバー固定用ネジ２１を容易に取り外せ、本体固定用ネジ４とカバー固定用ネジ２１をカバー１１の内部に設けることができ、雨水等の浸入を抑制することができる。【選択図】図２
2010270976.tif 000002
【特許請求の範囲】
【請求項１】
本体ケースと、この本体ケースの内部に設けられた送風機と、熱交換器とを有した熱交換装置であって、前記本体ケースには、前面外周部に張り出したフランジを設け、前記本体ケースの外方側には、前記本体ケースを覆い、かつ、複数の開口を有する箱形状のカバーを設け、このカバーの外周部は内側に折り曲げられた固定面を設け、この固定面は前記フランジにネジ止めにて固定され、このネジ止めのネジと対向する前記カバー面にはネジ着脱用穴を設けた熱交換装置。
【請求項２】
前記フランジは、Ｌ型アングル状であり、前記フランジの一面は前記ケースの側面に固定され、前記ケース側面と垂直な面に前記カバーが取り付けられ、前記フランジの前記カバーが取り付けられる面は、本体ケースの正面に対し、外方側に突出しており、前記フランジの全周にコーキング剤を塗布した請求項１記載の熱交換装置。
【請求項３】
前記本体ケースは、正面に外気吸気口と外気排気口を備え、前記カバーは、その底面と、前記本体ケースの前記外気吸気口に対向する面に複数の開口による外気吸気用通気孔と、前記本体ケースの前記外気排気口と対向する面に複数の開口による外気排気用通気孔を備え、前記外気排気用通気孔の下端は前記外気排気口よりも下方に位置するように形成し、前記カバーの内部には、前記熱交換装置の前記外気吸気口と前記外気排気口との間のショートサーキットを防止する仕切部材を設け、前記仕切部材をその上面が、前記外気排気用通気孔の下方、かつ、前記外気排気口と前記外気吸気口の間に配置した請求項１または２記載の熱交換装置。
【請求項４】
前記カバーの上面および底面は、前記本体ケース側に向かって広がる傾斜を有し、前記カバー底面の最下部に少なくとも１つ以上の小孔を備えた請求項１〜３記載の熱交換装置。
【請求項５】
前記カバーが取り付けられる前記フランジの面の端部は、前記カバーの端部よりも内側にある請求項１〜４記載の熱交換装置。
【請求項６】
前記本体ケースの下面にレール状の補強部材を備えた請求項１〜５記載の熱交換装置。
【請求項７】
前記カバーを前記フランジに固定するためのネジが貫通する前記カバーに設けた取付穴は、下部が前記ネジ頭が通過する大きさを有し、上部はネジ頭が通過せず、ネジ部が通過する大きさである請求項１〜６記載の熱交換装置。
【請求項８】
請求項１〜７いずれかに記載の熱交換装置を搭載した発熱体収容装置。
【発明の詳細な説明】
【技術分野】
【０００１】
本発明は、熱交換装置とそれを用いた発熱体収納装置に関するものである。
【背景技術】
【０００２】
例えば、携帯電話の基地局は、数十アンペア以上の電流が流れることから、ある点では発熱体とも表現される。つまり、冷却をすることがその動作を安定化させるためには極めて重要なものとなる。このような携帯電話の基地局はその冷却を行う為に次のような構成をとっている。（図１３参照）。
【０００３】
すなわち、図１３に示すように、発熱体となる送・受信機を収納したキャビネットと、このキャビネットの開口部に装着された熱交換装置１０１とを備えた構成となっていた。そして、熱交換装置１０１の構造としては、外気用の第１吸込口１０７と第１吐出口１０８およびキャビネット内用の第２吸込口１０９および第２吐出口１１０を有する本体ケース１１１と、この本体ケース１１１内に設けられた外気用の第１送風機１１２およびキャビネット内用の第２送風機１１３と、前記本体ケース１１１内において室外空気とキャビネット内空気との熱交換を行う熱交換器１１４とを備えた構成となっていた。（例えば、下記特許文献１）。
【０００４】
図示しないが、本体ケース１１１の第１吸込口１０７が設けられた前面側には、雨水などが浸入しないよう、ルーバーが備えられている。この本体ケース１１１は、キャビネットのドアに開閉自在に取り付けられている。このドアには、熱交換装置１０１の前面（第１吸込口１０７を設けた面）を覆うように、外側からパンチング孔を用いたカバーが取り付けられている。
【先行技術文献】
【特許文献】
【０００５】
【特許文献１】特開２０００−１６１８７５号公報
【発明の概要】
【発明が解決しようとする課題】
【０００６】
上記従来の熱交換装置においては、本体ケース１１１は、キャビネットのドアに取り付けられているため、本体ケース１１１の取り付けをドアを開放した状態で行うことができる。また、取付場所はドアに限らず、壁面等に取り付けられることもあるが、開口部を設け、壁面から突き出した形で取り付けられることもある。しかし、近年では、このような熱交換装置は、さまざまな取付場所を要求されている。すなわち、既設の構造体の壁面に開口部を設け、その開口部に埋め込んで設置することが要求されている。このような場合には、壁面の外側から容易に設置作業ができること、外側から簡易にメンテナンスができること、および、熱交換装置を第三者に容易に取り外されることが無いようにネジ、ボルト等の固定部材を外表面に出さないようにすることが課題となっている。
【０００７】
また、キャビネット内部には送・受信機が収納されているため、簡易にメンテナンスが行えつつ、防水性能を確保できることが課題となっている。
【０００８】
そこで、本発明は、ネジ、ボルト等の固定部材を外面に出さず、外側から容易に施工ができ、熱交換装置前面側から簡単にメンテナンスでき、防水性能を確保することを目的とするものである。
【課題を解決するための手段】
【０００９】
そして、この目的を達成するために、本発明は、本体ケースと、この本体ケースの内部に設けられた送風機と、熱交換器とを有し、前記本体ケースの外方側には、前記本体ケースを覆う複数の開口を有する箱形状のカバーを設けた熱交換装置であって、前記本体ケースには、前面外周部に張り出したフランジを設け、前記カバーの外周部は内側に折り曲げられた固定面を有し、前記固定面は前記フランジにネジ止めにて固定され、前記ネジと対向する前記カバー面にはネジ着脱用穴を設けたものであり、これにより所期の目的を達成するものである。
【発明の効果】
【００１０】
本発明によれば、本体ケースと、この本体ケースの内部に設けられた送風機と、熱交換器とを有し、前記本体ケースの外方側には、前記本体ケースを覆う複数の開口を有する箱形状のカバーを設けた熱交換装置であって、前記本体ケースには、前面外周部に張り出したフランジを設け、前記カバーの外周部は内側に折り曲げられた固定面を有し、前記固定面は前記フランジにネジ止めにて固定され、前記ネジと対向する前記カバー面にはネジ着脱用穴を設けた構成にしたことにより、前記ネジ着脱用穴から前記フランジと前記カバーの固定面を固定しているネジを容易に取り外すことができ、前記カバーを取り外した状態で前記フランジを構造体の壁面に固定することができるので容易に施工が行え、また、壁面に設置された状態でも、前述の通り、外側から前記ネジ着脱用穴から前記フランジと前記カバーの固定面を固定しているネジを容易に取り外せるため、容易にメンテナンスが行え、また、前記壁面と前記熱交換装置を固定する締結部材と前記ケースと前記カバーの固定面を固定するネジは、前記カバーの内部に設けることができ、締結部材、ネジからの雨水等の浸入を抑制することができ、防水性能を確保できるという効果を得ることができる。
【図面の簡単な説明】
【００１１】
【図１】本発明の実施の形態１の熱交換装置とそれを用いた発熱体収納装置の設置状態を示す図
【図２】同熱交換装置の側面断面における構成を示す図
【図３】同熱交換装置のカバー内部の構成を示す図
【図４】同熱交換装置のカバー正面図
【図５】同熱交換装置のカバーを取り外した状態を示す図
【図６】同熱交換装置のカバーを取り外した状態の上方を示す図
【図７】同熱交換装置のカバー内部の外気排気口付近の側面断面における構成を示す図
【図８】同熱交換装置のカバーの下部を示す図
【図９】同熱交換装置のカバーを取り外した状態のフランジとケース正面を示す図
【図１０】同熱交換装置の上部の側面断面における構成を示す図
【図１１】同熱交換装置の底面を示す図
【図１２】同熱交換装置のカバー固定穴の形状を示す図
【図１３】従来の熱交換装置の概略構成図
【発明を実施するための形態】
【００１２】
本発明の請求項１記載の熱交換装置は、本体ケースと、この本体ケースの内部に設けられた送風機と、熱交換器とを有した熱交換装置であって、前記本体ケースには、前面外周部に張り出したフランジを設け、前記本体ケースの外方側には、前記本体ケースを覆い、かつ、複数の開口を有する箱形状のカバーを設け、このカバーの外周部は内側に折り曲げられた固定面を設け、この固定面は前記フランジにネジ止めにて固定され、このネジ止めのネジと対向する前記カバー面にはネジ着脱用穴を設けた構成としたものである。これにより、前記ネジ着脱用穴から前記フランジと前記カバーの固定面を固定しているネジを容易に取り外すことができ、前記カバーを取り外した状態で前記フランジを構造体の壁面に固定することができるので容易に施工が行え、また、壁面に設置された状態でも、前述の通り、外側から前記ネジ着脱用穴から前記フランジと前記カバーの固定面を固定しているネジを容易に取り外せるため、容易にメンテナンスが行え、また、前記壁面と前記熱交換装置を固定する締結部材と前記ケースと前記カバーの固定面を固定するネジは、前記カバーの内部に設けることができ、締結部材、ネジからの雨水等の浸入を抑制することができ、防水性能を確保することができる。
【００１３】
また、本発明の請求項２記載の熱交換装置は、前記フランジは、Ｌ型アングル状であり、前記フランジの一面は前記ケースの側面に固定され、前記ケース側面と垂直な面に前記カバーが取り付けられ、前記フランジの前記カバーが取り付けられる面は、本体ケースの正面に対し、外方側に突出しており、前記フランジの全周にコーキング剤を塗布した構成としたものである。これにより、前記ケースの前面と前記フランジの前記カバーが取り付けられる面に段差が生じるので、前記フランジの全周にコーキング剤を塗布する際、容易に塗布でき、前記ケースの前面と前記フランジとにより形成されるコーナー部に確実にコーキング剤を塗布することができ、防水性を確保することができる。
【００１４】
また、本発明の請求項３記載の熱交換装置は、前記本体ケースは、正面に外気吸気口と外気排気口を備え、前記カバーは、その底面と、前記本体ケースの前記外気吸気口に対向する面に複数の開口による外気吸気用通気孔と、前記本体ケースの前記外気排気口と対向する面に複数の開口による外気排気用通気孔を備え、前記外気排気用通気孔の下端は前記外気排気口よりも下方に位置するように形成し、前記カバーの内部には、前記熱交換装置の前記外気吸気口と前記外気排気口との間のショートサーキットを防止する仕切部材を設け、前記仕切部材をその上面が、前記外気排気用通気孔の下方、かつ、前記外気排気口と前記外気吸気口の間に配置したものである。これにより前記外気排気用通気孔から前記カバー内部に雨水が浸入し、前記仕切部材の上面に雨水が溜まった場合、前記外気排気口の下端よりも前記外気排気用通気孔が下方に位置するため、前記外気排気口から前記熱交換装置の内部に侵入することなく、前記外気排気用通気孔から排水することができ、防水性を確保することができる。
【００１５】
また、本発明の請求項４記載の熱交換装置は、前記カバーの上面および底面は、前記本体ケース側に向かって広がる傾斜を有し、前記カバー底面の最下部に少なくとも１つ以上の小孔を備えたものである。これにより、前記カバーの上面に付着した雨水は、前記カバーの正面側、すなわちキャビネットと反対方向に流れ、前記カバーをつたって滴下するため、前記熱交換装置と前記キャビネットの取り付け面に雨水が溜まることを防止し、防水性を確保することができる。また、前記カバーの底面に溜まった雨水は、前記カバー底面の最下部に向かって流れ、最下部に設けた前記小孔より屋外へ滴下するため、前記熱交換装置と前記キャビネットの取り付け面に雨水が溜まることを防止し、防水性を確保することができる。
【００１６】
また、本発明の請求項５記載の熱交換装置は、前記カバーが取り付けられる前記フランジの面の端部は、前記カバーの端部よりも内側にあるものである。これにより、前記熱交換装置を前記キャビネットに取り付けた際、前記カバーと前記キャビネットの壁面との間に溝が形成され、前記カバーの周囲にコーキング剤を塗布した際、前記溝にコーキング剤が入り込むため容易に施工が行えると同時に、コーキング剤の接触面積を増加させることができ、防水性を確保することができる。
【００１７】
また、本発明の請求項６記載の熱交換装置は、前記本体ケースの下面にレール状の補強部材を備えたものである。これにより、前記キャビネットに設けた前記熱交換装置を取り付ける開口に、前記熱交換装置をはめ込む際、前記熱交換装置の底面を前記開口の底面に載せた後、前記補強部材をレール状としたため、滑らかに押し込むことができ、また、前記補強部材が開口の底面と接触するため、前記熱交換装置のケース本体に損傷を与えずに容易に施工を行うことができる。
【００１８】
また、本発明の請求項７記載の熱交換装置は、前記カバーを前記フランジに固定するためのネジが貫通する前記カバーに設けた取付穴は、下部が前記ネジ頭が通過する大きさを有し、上部はネジ頭が通過せず、ネジ部が通過する大きさとしたものである。これにより、前記カバーを前記熱交換装置から取り外す場合は、前記ネジを完全に取り外さなくとも、前記ネジを緩め、前記カバーを上方へスライドさせることで、前記ネジのネジ頭は前記取付穴のネジ頭が貫通する大きさの穴部に位置することになり、その後、前記カバーを手前に引くことで容易に前記カバーを取り外すことができる。また、前記カバーを取り付ける場合は、前記カバーの前記取付穴を前記ネジに通し、下方へスライドさせることで、前記カバーは前記ネジから外れなくなり、仮固定された状態となり、その後、前記ネジを締め付けることで前記カバーを容易に取り付けることができる。
【００１９】
以下、本発明の実施の形態について図面を参照しながら説明する。
【００２０】
（実施の形態１）
図１に示すように基地局１は、函状のキャビネット２と、このキャビネット２内に設けた通信装置としての送・受信機（図示せず）と、キャビネット２の側面に設けた熱交換装置３により構成されている。
【００２１】
熱交換装置３は、キャビネット２の壁面に開けた開口部に埋め込むように設置され、図２に示すように、本体固定用ネジ４により壁面５に固定される。
【００２２】
熱交換装置３は、箱状のケース６（本体ケース）内の上部にキャビネット２内の空気を循環させるための内気送風機７と、下部に外気送風用の外気送風機８と、中央に内気送風機７により送風された空気と外気送風機８により送風された空気との間で熱交換を行う熱交換器９を備える。
【００２３】
また、熱交換装置３の外周部にはＬ字型のフランジ１０を設け、Ｌ字状の一方の面をケース６に固定し、他方の面を介して本体固定用ネジ４により熱交換装置３が壁面５に固定されている。
【００２４】
熱交換装置３の外気面には、その外気面を覆うようにカバー１１がフランジ１０に固定されている。カバー１１の上面、底面及び側面は、壁面側から室外側に向かって細くなる傾斜するように形成する。カバー１１の外周部は、図３に示すように、カバー１１内部に折り曲げられた固定面１２を形成し、固定面１２にはカバー固定穴１３を設ける。
【００２５】
カバー１１の内部には、熱交換装置３の外気排気口１４に対向する位置に外気排気用ルーバー１５を備え、外気吸気口１６の対向する位置に外気吸気用ルーバー１７を備える。また、外気排気口１４と外気吸気口１６の間には、外気排気口１４から排気された外気が外気吸気口１６に直接吸込まれるショートサーキットを防止するための仕切部材としてのパッキン１８を備える。
【００２６】
図４に示すように、カバー１１には、外気排気口１４と対向する位置に、小孔の外気排気用通気孔１９を複数設け、外気吸気口１６と対向する位置とカバー１１の底面には小孔の外気吸気用通気孔２０を複数設ける。
【００２７】
また、図５、図６に示すように、カバー１１は、（固定面１２のカバー固定穴１３を介して）カバー固定用ネジ２１によりフランジ１０に固定される。また、カバー１１の正面には、カバー固定用ネジ２１に対向する位置にカバー着脱用穴２２を設ける。
【００２８】
図７に示すように、外気排気口１４、パッキン１８、外気排気用通気孔１９の垂直方向の位置関係は、外気排気口１４の下端よりも外気排気用通気孔１９の下端が下方となるように形成し、外気排気用通気孔１９の下端よりもパッキン１８の上端が下方となるように形成する。つまり、上から順に外気排気口１４の下端、外気排気用通気孔１９の下端、パッキン１８の上端という順に形成する。
【００２９】
また、図８に示すように、カバー１１の底面の最下部には、排水用小孔２３を３ヶ設ける。
【００３０】
図９、図１０に示すように、フランジ１０のケース６に固定した面の他方の面、すなわちカバー１１が固定される面は、ケース６の正面に対し、カバー１１側に突出させ、ケース６とフランジ１０とで形成されたフランジ１０の全周にわたるコーナー部分にコーキング剤２４−１を塗布する。
【００３１】
また、フランジ１０のカバー１１が固定される面の端部は、カバー１１が取り付けられた際、カバー１１の外形よりも内側となるように形成する。
【００３２】
図１１に示すように、熱交換装置３は、その底面にカバー１１側からカバー１１の対面方向へ伸びるレール状の補強部材としてのレール２５を備える。
【００３３】
また、図１２に示すように、固定面１２に設けたカバー固定穴１３の形状は、下部をカバー固定用ネジ２１のネジ頭が通過する大きさの穴径に形成し、上部をカバー固定用ネジ２１のネジ頭が通過せず、ネジ部が通過する寸法に形成する。カバー１１の固定が完了したときに、ネジ部が通過する部分の端部の中心はカバー着脱用穴２２の中心と一致するように形成する。
【００３４】
上記の構成により、熱交換装置３のケース６とフランジ１０との隙間からの雨水の浸入を防止するためにコーキング剤２４−１を塗布する際、フランジ１０のカバー１１が固定される面をケース６の正面に対し、カバー１１側に突出させることで、ケース６とフランジ１０によりコーナー部を形成することができるため、ケース６とフランジ１０との合わせ部に確実にコーキング剤を塗布することができ、防水性を確保することができる。
【００３５】
熱交換装置３をキャビネット２に取り付ける手順について説明する。
【００３６】
熱交換装置３のケース６は、カバー１１を取り外した状態で取付作業を行う。まず、熱のケース６の底面に設けたレール２５をキャビネット２の壁面５に開けた開口に乗せ、キャビネット２に向かって押し込む。このとき、レール２５はキャビネット２の室外側から内部側へ向かう方向に形成されているため、熱交換装置３を容易にスライドさせることができ、レール２５が補強部材を兼ねているため、熱交換装置３を開口に乗せるときや、熱交換装置３をスライドさせるときにケース６の底面への損傷を与えることなく、熱交換装置３の取り付けを行うことができる。
【００３７】
熱交換装置３をキャビネット２に押し込んだ後、本体固定用ネジ４でフランジ１０を壁面５に密着させるように固定する。
【００３８】
次に、カバー１１を取り付ける。カバー１１を取り付ける前に、カバー固定用ネジ２１をフランジ１０に、ネジ頭をカバー１１の板厚分以上浮かせてねじ込んでおく。この状態で、カバー１１のカバー固定穴１３に、カバー固定用ネジ２１のネジ頭を通過させた後、カバー１１を下方へスライドさせる。このようにすれば、カバー固定用ネジ２１は、カバー固定穴１３の幅の狭い部分に引っかかる。すなわち、仮固定の状態となり、カバーから手を離してもカバー１１が外れることがなくなる。その後、カバー着脱用穴２２からドライバーをカバー１１内部に挿入し、カバー着脱用穴２２の奥にあるカバー固定用ネジ２１を締め付けることでカバー１１を固定することができる。このように、カバー１１から手を離してもカバー１１が外れない仮固定の状態とすることができるため、その後のドライバーによるカバー１１の固定作業を容易に行うことができる。
【００３９】
また、熱交換装置３が壁面５に取り付けられたとき、本体固定用ネジ４とカバー固定用ネジ２１は、カバー１１の内部に隠れた状態となり、第３者が外観からは容易に確認できない状態とすることができる。
【００４０】
カバー１１を取り外す場合には、カバー着脱用穴２２からカバー１１内部にドライバーを挿入し、カバー着脱用穴２２の奥にあるカバー固定用ネジ２１を緩め、カバー１１を熱交換装置３の上方へスライドさせる。これにより、カバー固定用ネジ２１のネジ頭は、カバー固定穴１３のカバー固定用ネジ２１のネジ頭が通過する穴径の位置までずれるため、カバー１１を熱交換装置３から引き離すことで、カバー固定穴１３からカバー固定用ネジ２１がはずれ、カバー１１を熱交換装置３から容易に取り外すことができる。
【００４１】
フランジ１０のカバー１１が固定される面の端部は、カバー１１が取り付けられた際、カバー１１の外形よりも内側となるように形成してある。そのため、カバー１１とキャビネット２の壁面５との間に溝２６が形成され、その溝２６にコーキング剤２４−２を押し込むことができる。すなわち、ケース６の外周のコーキング処理を、容易に行うことができ、また、コーキング剤２４−２の接触面積、つまりシール面積が増加するため、防水性を確保することができる。
【００４２】
また、メンテナンスの際、カバー１１を取り外す場合は、カバー１１の外周のコーキング剤２４−２にカッターを刺し、その先端を溝２６に挿入し、カッターを溝２６に沿って移動させることで、容易に外周に塗布されたコーキング剤２４−２を切断することができる。
【００４３】
コーキング剤２４−２を切断した後の作業は、前述とおりカバー１１を容易に取り外すことができ、カバー１１内部の外気排気用ルーバー１５、外気吸気用ルーバー１７、熱交換装置３の外気排気口１４、および外気吸気口１６の清掃等を容易に行うことができ、カバー１１を熱交換装置３から完全に取り外すことができるため、カバー１１を丸洗いすることも可能である。
【００４４】
メンテナンス後は、前述の熱交換装置３をキャビネット２に取り付ける際に行った手順と同様にカバー１１を容易に取り付けることができ、メンテナンスを容易に行うことができる。
【００４５】
また、カバー１１の上面、底面及び側面は壁面側から室外側に向かって細くなる傾斜するように形成し、カバー１１の底面の最下部に排水用小孔２３を設けることで、カバー１１の上面に付着した雨水は、カバー１１の正面側、すなわちキャビネット２と反対方向に流れ、カバー１１をつたって滴下する。そのため、キャビネット２と熱交換装置３の取り付け部、すなわちコーキング剤２４−２に雨水が溜まることが防止される。また、カバー１１の底面に溜まった雨水は、カバー１１の底面の最下部に向かって流れ、最下部に設けた排水用小孔より屋外へ滴下する。そのため、キャビネット２と熱交換装置３の取り付け部、すなわちコーキング剤２４−１に雨水が溜まることが防止される。従って、メンテナンスの際、コーキング剤２４−１を切断するときに、コーキング剤２４−１に溜まっていた雨水が、誤ってキャビネット２内に浸入することを防止することができる。
【００４６】
また、外気排気口１４、パッキン１８、外気排気用通気孔１９の垂直方向の位置関係を、上から順に外気排気口１４の下端、外気排気用通気孔１９の下端、パッキン１８の上端という順に形成することで、カバー１１内部に雨水が入り、パッキン１８の上端に雨水が溜まった場合、外気排気口１４の下端よりも外気排気用通気孔１９の下端の方が低い位置にあるため、外気排気用通気孔１９よりカバー１１の外部に排水され、外気排気口１４から熱交換装置３の内部に雨水が浸入することを防止することができる。
【産業上の利用可能性】
【００４７】
本発明にかかる熱交換装置とそれを用いた発熱体収納装置は、本体ケースと、この本体ケースの内部に設けられた送風機と、熱交換器とを有し、前記本体ケースの外方側には、前記本体ケースを覆う複数の開口を有する箱形状のカバーを設けた熱交換装置であって、前記本体ケースには、前面外周部に張り出したフランジを設け、前記カバーの外周部は内側に折り曲げられた固定面を有し、前記固定面は前記フランジにネジ止めにて固定され、前記ネジと対向する前記カバー面にはネジ着脱用穴を設けたものであり、熱交換装置とそれを用いた発熱体収納装置等として有用である。
【符号の説明】
【００４８】
１    基地局
２    キャビネット
３    熱交換装置
４    本体固定用ネジ
５    壁面
６    ケース
７    内気送風機
８    外気送風機
９    熱交換器
１０  フランジ
１１  カバー
１２  固定面
１３  カバー固定穴
１４  外気排気口
１５  外気排気用ルーバー
１６  外気吸気口
１７  外気吸気用ルーバー
１８  パッキン
１９  外気排気用通気孔
２０  外気吸気用通気孔
２１  カバー固定用ネジ
２２  カバー着脱用穴
２３  排水用小孔
２４−１  コーキング剤
２４−２  コーキング剤
２５  レール
２６  溝
【図１】
2010270976.tif 000003
【図２】
2010270976.tif 000004
【図３】
2010270976.tif 000005
【図４】
2010270976.tif 000006
【図５】
2010270976.tif 000007
【図６】
2010270976.tif 000008
【図７】
2010270976.tif 000009
【図８】
2010270976.tif 000010
【図９】
2010270976.tif 000011
【図１０】
2010270976.tif 000012
【図１１】
2010270976.tif 000013
【図１２】
2010270976.tif 000014
【図１３】
2010270976.tif 000015